(57)【要約】【課題】プロテクタ本体の各電線導出分岐部と蓋体の各カバーの取付作業性を向上させることができるプロテクタを提供する。【解決手段】一面側に開口１４を有し、電線を収容するプロテクタ本体１１と、このプロテクタ本体１１に係止・離脱自在に取り付けられ、開口１４を塞ぐ蓋体４０と、を備えたプロテクタ１０であって、プロテクタ本体１１は、少なくとも２つの電線導出分岐部２０，３０を有し、蓋体４０は、一方の電線導出分岐部２０の電線収容部２２と他方の電線導出分岐部３０の電線収容部３２の一部を塞ぐ第１カバー５０と、他方の電線導出分岐部３０の電線収容部３２のみを塞ぐ第２カバー５５と、を有する。【選択図】図２
2020162242.tif 000002
【特許請求の範囲】
【請求項１】
一面側に開口を有し、電線を収容するプロテクタ本体と、前記プロテクタ本体に係止・離脱自在に取り付けられ、前記開口を塞ぐ蓋体と、を備えたプロテクタであって、
前記プロテクタ本体は、少なくとも２つの電線導出分岐部を有し、
前記蓋体は、前記一方の電線導出分岐部の電線収容部と他方の電線導出分岐部の電線収容部の一部を塞ぐ第１カバーと、前記他方の電線導出分岐部の電線収容部のみを塞ぐ第２カバーと、を有することを特徴とするプロテクタ。
【請求項２】
請求項１記載のプロテクタであって、
前記蓋体には、前記第１カバーがヒンジを介して開閉自在に設けられ、
前記第１カバーには、前記第２カバーがヒンジを介して開閉自在に設けられていることを特徴とするプロテクタ。
【請求項３】
請求項１または２記載のプロテクタであって、
前記各電線導出分岐部と前記各カバーの対向する各部位には、前記電線に装着されたコルゲートチューブの凹溝に嵌め込まれるリブがそれぞれ設けられていることを特徴とするプロテクタ。
【請求項４】
請求項１〜３のいずれか１項に記載のプロテクタであって、
前記一方の電線導出分岐部の向きと前記他方の電線導出分岐部の向きは、異なる方向に向いていることを特徴とするプロテクタ。
【請求項５】
請求項１〜４のいずれか１項に記載のプロテクタであって、
前記第１カバーと前記第２カバーには、前記電線の収容位置を確認する窓がそれぞれ設けられていることを特徴とするプロテクタ。
【請求項６】
請求項１〜５のいずれか１項に記載のプロテクタであって、
前記プロテクタ本体には、前記蓋体がロック爪とロック枠からなるロック機構を介して係止・離脱自在に設けられ、
前記各電線導出分岐部には、前記各カバーがロック爪とロック枠からなるロック機構を介して係止・離脱自在に設けられていることを特徴とするプロテクタ。
【請求項７】
請求項１〜５のいずれか１項に記載のプロテクタであって、
前記プロテクタ本体には、前記蓋体がヒンジを介して開閉自在に設けられ、かつ、ロック機構を介して係止・離脱自在に設けられていることを特徴とするプロテクタ。
【発明の詳細な説明】
【技術分野】
【０００１】
本発明は、ワイヤハーネスを保護するプロテクタに関する。
【背景技術】
【０００２】
この種のワイヤハーネス用のプロテクタとして、特許文献１に開示されたものがある。このプロテクタは、上面が開口し、内部に電線を収容するプロテクタ本体と、このプロテクタ本体にロック機構を介してロックされ、プロテクタ本体の上面開口を塞ぐ蓋体と、を備えている。
【０００３】
プロテクタ本体には、同じ方向を向いて一列に並んだ３つの樋形の電線導出部を有しており、この各電線導出部のＵ字状の周壁には、電線の外周に装着したコルゲートチューブの凹溝に嵌るリブが設けられている。また、蓋体の各電線導出部のリブに対応する位置にも、蓋体をプロテクタ本体に被せた際に各電線導出部のリブと協働してコルゲートチューブを保持するリブが設けられている。さらに、プロテクタ本体に設けられたロック枠（ロック機構）に、蓋体に設けられたロック爪（ロック機構）が嵌ることで、プロテクタ本体と蓋体がロックされるようになっている。
【０００４】
そして、プロテクタ本体の内部にコルゲートチューブを収容して各電線導出部のリブにコルゲートチューブの凹溝を嵌め、プロテクタ本体の上面開口を蓋体で塞ぐ際に、蓋体のリブをコルゲートチューブの凹溝に嵌めて、プロテクタ本体と蓋体をロック枠とロック爪からなるロック機構によりロックする。
【先行技術文献】
【特許文献】
【０００５】
【特許文献１】特開２００９−５０１０６号公報
【発明の概要】
【発明が解決しようとする課題】
【０００６】
しかしながら、前記従来のプロテクタでは、プロテクタ本体の３つの電線導出部を覆う蓋体が一体（一枚）であり、各電線導出部のリブと蓋体の各リブを同時にコルゲートチューブの凹溝に嵌め込まなければならないため、プロテクタ本体の３つの電線導出部と蓋体の位置合わせ作業が難作業である。また、プロテクタ本体のロック枠に蓋体のロック爪を挿入するロック挿入力が高負荷となり、ロック嵌合がし難くなる。
【０００７】
そこで、本発明は、前記した課題を解決すべくなされたものであり、プロテクタ本体の各電線導出分岐部と蓋体の各カバーの取付作業性を向上させることができるプロテクタを提供することを目的とする。
【課題を解決するための手段】
【０００８】
本発明は、一面側に開口を有し、電線を収容するプロテクタ本体と、前記プロテクタ本体に係止・離脱自在に取り付けられ、前記開口を塞ぐ蓋体と、を備えたプロテクタであって、前記プロテクタ本体は、少なくとも２つの電線導出分岐部を有し、前記蓋体は、前記一方の電線導出分岐部の電線収容部と他方の電線導出分岐部の電線収容部の一部を塞ぐ第１カバーと、前記他方の電線導出分岐部の電線収容部のみを塞ぐ第２カバーと、を有することを特徴とする。
【発明の効果】
【０００９】
本発明によれば、プロテクタ本体の各電線導出分岐部の電線収容部を蓋体の各カバーの別作業によりそれぞれ塞ぐようにしたことで、プロテクタ本体の各電線導出分岐部と蓋体の各カバーの取付作業性をより一段と向上させることができる。
【図面の簡単な説明】
【００１０】
【図１】本発明の一実施形態の第１カバーと第２カバーを閉じたプロテクタの平面図である。
【図２】上記第１カバーと第２カバーを開いた状態の部分斜視図である。
【図３】上記第１カバーを閉じた後で第２カバーを閉じる前の状態の部分斜視図である。
【図４】上記第１カバーと第２カバーを閉じた状態の部分斜視図である。
【図５】上記プロテクタを正面側から見た斜視図である。
【図６】上記プロテクタの正面図である。
【図７】上記プロテクタの右側面図である。
【図８】上記プロテクタの左側面図である。
【図９】上記プロテクタの背面図である。
【図１０】上記プロテクタの平面図である。
【図１１】上記プロテクタの底面図である。
【図１２】参考例のヒンジカバーを閉じたプロテクタの平面図である。
【図１３】上記参考例のヒンジカバーを開いた状態の部分斜視図である。
【発明を実施するための形態】
【００１１】
以下、本発明の一実施形態を図面に基づいて説明する。
【００１２】
図１は本発明の一実施形態の第１カバーと第２カバーを閉じたプロテクタの平面図、図２は第１カバーと第２カバーを開いた状態の部分斜視図、図３は第１カバーを閉じた後で第２カバーを閉じる前の状態の部分斜視図、図４は第１カバーと第２カバーを閉じた状態の部分斜視図、図５はプロテクタを正面側から見た斜視図、図６はプロテクタの正面図、図７はプロテクタの右側面図、図８はプロテクタの左側面図、図９はプロテクタの背面図、図１０はプロテクタの平面図、図１１はプロテクタの底面図である。
【００１３】
図１、図２、図５〜図１１に示すように、プロテクタ１０は、上面（一面）側に上面開口１４を有し、内部に電線６１（複数の電線６１を束ねてなるワイヤハーネス６０の外周に装着したコルゲートチューブ７０）を収容する合成樹脂製のプロテクタ本体１１と、このプロテクタ本体１１に係止・離脱自在に取り付けられ、上面開口１４を塞ぐ合成樹脂製の蓋体（カバー本体）４０と、を備えている。
【００１４】
図５、図７、図８、図１１に示すように、プロテクタ本体１１は、断面形状がＵ字形の樋状で、図示しない自動車の車体パネルに沿って延びるように湾曲して延設されている。即ち、プロテクタ本体１１は、底壁部１２と、この底壁部１２の両側より起立した両側壁部１３，１３と、を備えていて、上面側に上面開口１４を有している。そして、底壁部１２と両側壁部１３，１３との間で形成される空間が電線配索用のスペースになっている。
【００１５】
図１１に示すように、プロテクタ本体１１の底壁部１２と両側壁部１３，１３の後端側が電線６１を導入する電線導入口部１５になっている。また、図７〜図９に示すように、プロテクタ本体１１の底壁部１２と両側壁部１３，１３の前端側には、複数の電線６１を分岐させて導出する２つの電線導出分岐部（電線固定部）２０，３０が設けられている。さらに、図５〜図８に示すように、プロテクタ本体１１の両側壁部１３，１３の上部には、蓋体４０の後述するロック枠４３が係止・離脱されるロック爪（ロック機構）１６が所定間隔毎に複数突設されている。
【００１６】
図１〜図５及び図９に示すように、２つの電線導出分岐部２０，３０は、プロテクタ本体１１の底壁部１２と両側壁部１３，１３の前端側から延設されていて、一方（図中右側面側）の電線導出分岐部２０の向きＡと他方（図中左側面側）の電線導出分岐部３０の向きＢは、異なる方向に向いている。即ち、他方の電線導出分岐部３０は、一方の電線導出分岐部２０と平面から見て平行の方向ではなく、一方の電線導出分岐部２０から離れる異なる方向（平面から見てＶ字状に離れる方向）に向いている。
【００１７】
図２〜図４、図９に示すように、一方の電線導出分岐部２０は、正面視Ｕ字状の周壁２１で形成されており、その内部がＵ状の電線収容部２２になっている。また、周壁２１の出口端の内周面２１ａには、ワイヤハーネス（複数の電線６１を束ねた分岐線）６０の外周に装着したコルゲートチューブ７０の凹溝７１に嵌る一対のリブ（コルゲートチューブ固定部）２３，２３が突設されている。さらに、周壁２１の両側の外周面２１ｂ，２１ｂには、後述する第１カバー５０のロック枠５１に係止・離脱されるロック爪（ロック機構）２４，２４がそれぞれ突設されている。尚、周壁２１の外側の外周面２１ｂは、プロテクタ本体１１の図中右側面側の側壁部１３に連なっている。
【００１８】
図２〜図４、図９に示すように、他方の電線導出分岐部３０は、正面視Ｕ字状の周壁３１で形成されており、その内部がＵ状の電線収容部３２になっている。また、周壁３１の出口端の内周面３１ａには、ワイヤハーネス（複数の電線６１を束ねた分岐線）６０の外周に装着したコルゲートチューブ７０の凹溝７１に嵌る一対のリブ（コルゲートチューブ固定部）３３，３３が突設されている。さらに、周壁３１の両側の外周面３１ｂ，３１ｂには、後述する第２カバー５５のロック枠５７に係止・離脱されるロック爪（ロック機構）３４，３４がそれぞれ突設されている。尚、周壁３１の内側の外周面３１ｂは、一方の周壁２１の内側の外周面２１ｂに連なって両面でＶ字状に交わっている。また、周壁３１の外側の外周面３１ｂは、プロテクタ本体１１の図中左側面側の側壁部１３に連なっている。さらに、図９に示すように、他方の電線導出分岐部３０の周壁３１の大きさは、一方の電線導出分岐部２０の周壁２１の大きさよりも小形に形成されていると共に高い位置に形成されている。
【００１９】
図５〜図１１に示すように、蓋体４０は、プロテクタ本体１１の両側壁部１３，１３の上端面に沿って当たる天井壁部４１と、プロテクタ本体１１の両側壁部１３，１３の外面側を覆う両側壁部４２，４２と、を備えていて、下面側が開口している。そして、蓋体４０の両側壁部４２，４２には、プロテクタ本体１１の両側壁部１３，１３の各ロック爪１６に係止・離脱されるロック枠（ロック機構）４３が所定間隔毎に複数設けられている。
【００２０】
また、図２〜図５に示すように、蓋体４０の前端側には、一方の電線導出分岐部２０の電線収容部２２と他方の電線導出分岐部３０の電線収容部３２の一部を塞ぐ第１カバー５０と、他方の電線導出分岐部３０の電線収容部３２のみを塞ぐ第２カバー５５と、を有している。
【００２１】
図１、図２、図５に示すように、第１カバー５０は、蓋体４０の前端側の両側壁部４２，４２間に形成されたヒンジ４４を介して開閉自在に設けられている。この第１カバー５０の基部５０ａ側は、他方の電線導出分岐部３０の周壁３１の外周面３１ｂ側まで延びている。そして、第１カバー５０の一方の電線導出分岐部２０の周壁２１の両側のロック爪２４，２４に対向する位置には、該各ロック爪２４，２４に係止・離脱されるロック枠（ロック機構）５１，５１がそれぞれ突設されている。さらに、第１カバー５０の基部５０ａの他方の電線導出分岐部３０の周壁３１の外側の奥のロック爪３４に対向する位置には、該ロック爪３４に係止・離脱されるロック枠（ロック機構）５２が突設されている。
【００２２】
また、図２、図９に示すように、第１カバー５０の一方の電線導出分岐部２０の一対のリブ２３，２３に対向する位置には、コルゲートチューブ７０の凹溝７１に嵌る一対のリブ（コルゲートチューブ固定部）５３，５３が突設されている。さらに、図２、図４、図５に示すように、第１カバー５０の一方の電線導出分岐部２０の電線収容部２２の中央に対向する位置には、コルゲートチューブ７０の収容位置（収容状態）を確認する矩形の窓５４が設けられている。
【００２３】
図１、図２、図５に示すように、第１カバー５０の基部５０ａの他方の電線導出分岐部３０の周壁２１の両側上端に対応する位置には、Ｌ字状で一対のスリット５０ｂ，５０ｂが形成されている。この一対のスリット５０ｂ，５０ｂの基端側間に形成されたヒンジ５６により第２カバー５５が第１カバー５０の基部５０ａに対して開閉自在に設けられている。そして、図２、図５に示すように、第２カバー５５の両側の他方の電線導出分岐部３０の周壁３１の両側のロック爪３４，３４に対向する位置には、該各ロック爪３４，３４に係止・離脱されるロック枠（ロック機構）５７，５７がそれぞれ突設されている。
【００２４】
また、図２、図９に示すように、第２カバー５５の他方の電線導出分岐部３０の一対のリブ３３，３３に対向する位置には、コルゲートチューブ７０の凹溝７１に嵌る一対のリブ（コルゲートチューブ固定部）５８，５８が突設されている。さらに、図２、図４、図５に示すように、第２カバー５５の他方の電線導出分岐部３０の電線収容部３２の中央に対応する位置には、コルゲートチューブ７０の収容位置（収容状態）を確認する矩形の窓５９が設けられている。図２に示すように、第２カバー５５は、第１カバー５０に段差状に形成された傾斜壁部５０ｃにより第１カバー５０よりも上方に位置している。
【００２５】
以上実施形態のプロテクタ１０によれば、図２に示すように、一方の電線導出分岐部２０のリブ２３にコルゲートチューブ７０の凹溝７１を嵌めてセットすると共に、他方の電線導出分岐部３０のリブ３３にコルゲートチューブ７０の凹溝７１を嵌めてセットする。
【００２６】
次に、図３に示すように、一方の電線導出分岐部２０の電線収容部２２を第１カバー５０で塞ぐ際に、第１カバー５０のリブ５３をコルゲートチューブ７０の凹溝７１に嵌め、一方の電線導出分岐部２０のロック爪２４と他方の電線導出分岐部３０のロック爪３４に第１カバー５０のロック枠５１，５２を係止して、一方の電線導出分岐部２０と第１カバー５０をロックする。
【００２７】
次に、図４に示すように、他方の電線導出分岐部３０の電線収容部３２を第２カバー５５で塞ぐ際に、第２カバー５５のリブ５８をコルゲートチューブ７０の凹溝７１に嵌め、他方の電線導出分岐部３０のロック爪３４に第２カバー５５のロック枠５７を係止して、他方の電線導出分岐部３０と第２カバー５５をロックする。
【００２８】
このように、プロテクタ本体１１の２つの電線導出分岐部２０，３０の各電線収容部２２，３２を蓋体４０の前端側に設けられた第１、第２カバー５０，５５の別々の作業により簡単に塞ぐことができる。また、第１カバー５０のリブ５３をコルゲートチューブ７０の凹溝７１に嵌め込むことで、第２カバー５５のリブ５８のコルゲートチューブ７０の凹溝７１に対する嵌め込み位置も誘導されるため、２つの電線導出分岐部２０，３０と第１、第２カバー５０，５５の取付作業性をより一段と向上させることができる。
【００２９】
さらに、第１カバー５０と第２カバー５５を別々の作業により、２つの電線導出分岐部２０，３０の各電線収容部２２，３２を塞いで、両者をロックするようにしたことで、各カバー５０，５５のロック枠５１，５２，５７に各電線導出分岐部２０，３０のロック爪２４，３４を挿入するロック挿入力が低負荷となり、ロック嵌合がし易くなる。
【００３０】
また、第１カバー５０の基部５０ａ側のロック枠５２が他方の電線導出分岐部３０のロック爪３４に係止されて、一方の電線導出分岐部２０の電線収容部２２と他方の電線導出分岐部３０の電線収容部３２の一部を塞いで、カバー本体である蓋体４０と同じ役割をするため、ハーネスレイアウトに関係なく、強度を保った第１カバー５０と第２カバー５５を設定することができる。
【００３１】
ここで、前記実施形態の優位性を説明するために、図１２及び図１３に参考例を示す。図１２は参考例のヒンジカバーを閉じたプロテクタの平面図、図１３はヒンジカバーを開いた状態の部分斜視図である。
【００３２】
この参考例として示すプロテクタ１０′は、プロテクタ本体１１の上面開口１４を覆う蓋体４０の前端側に、ヒンジ４６を介して１つ（一枚）のカバー（ヒンジカバー）５０′を開閉自在に設けてある。そして、この１つのカバー５０′で２つの電線導出分岐部２０，３０の各電線収容部２２，３２をそれぞれ塞ぐようになっている点が、前記実施形態と異なり、他の構成は前記実施形態と同様である。従って、同一構成部分には同一符号を付して詳細な説明は省略する。
【００３３】
この参考例のプロテクタ１０′では、１つのカバー５０′により２つの電線導出分岐部２０，３０の各電線収容部２２，３２をそれぞれ塞ぐため、従来技術の場合と同様に、２つの電線導出分岐部２０，３０の各リブ２３，３３とカバー５０′の各リブ５３，５８を同時にコルゲートチューブ７０の凹溝７１に嵌め込まなければならないため、２つの電線導出分岐部２０，３０とカバー５０′の位置合わせ作業が難しく、また、カバー５０′のロック枠５１，５２，５７に各電線導出分岐部２０，３０のロック爪２４，３４を挿入するロック挿入力が高負荷となり、ロック嵌合がし難くなるが、前記実施形態のプロテクタ１０では、これらの問題点を解消することができる。
【００３４】
また、参考例のプロテクタ１０′では、カバー５０′を各電線導出分岐別に別体化した場合、２つの電線導出分岐部２０，３０との間に隙間ができ、電線が飛び出して断線する可能性があり、また、２つの電線導出分岐部２０，３０間に隙間ができ、カバー５０′の中央部が浮いて、異物等が混入する可能性があるが、前記実施形態のプロテクタ１０では、２つの電線導出分岐部２０，３０間は、第１カバー５０が浮くことなく覆われるため、電線飛び出し防止用やカバー支え用のリブ等を設けることなく、電線飛び出しや異物混入等を簡単かつ確実に防止することができる。
【００３５】
尚、前記実施形態によれば、プロテクタ本体と蓋体を別体で形成して、ロック機構で係止・離脱自在にしたが、プロテクタ本体と蓋体を一方の側に設けられたヒンジを介して一体に形成して、他方の側に設けられたロック機構で係止・離脱自在にしても良い。また、第１カバーと第２カバーにコルゲートチューブの位置を確認する窓を設けたが、第１カバーと第２カバーに確認用の窓を設けなくても良い。
【００３６】
また、前記実施形態によれば、電線導出分岐部を２つ設けたが、３つ以上でも良い。この電線導出分岐部を３つ設ける場合は、第１カバーで中央に位置する電線導出分岐部の電線収容部と左右両側に位置する電線導出分岐部の各電線収容部の一部をそれぞれ塞ぎ、第１カバーにヒンジを介して開閉自在に設けた第２カバーで右側の電線導出分岐部の電線収容部のみを塞ぐと共に、第１カバーにヒンジを介して開閉自在に設けた第３カバーで左側の電線導出分岐部の電線収容部のみを塞ぐようにすれば良い。
【００３７】
さらに、前記実施形態によれば、プロテクタ本体側にロック爪を設け、蓋体及び各カバー側にロック枠を設けてロック機構を構成したが、プロテクタ本体側にロック枠を設け、蓋体及び各カバー側にロック爪を設けてロック機構を構成しても良い。
【符号の説明】
【００３８】
１０  プロテクタ
１１  プロテクタ本体
１４  上面開口（開口）
１６  ロック爪（ロック機構）
２０  一方の電線導出分岐部
２２  電線収容部
２３  リブ
２４  ロック爪（ロック機構）
３０  他方の電線導出分岐部
３２  電線収容部
３３  リブ
３４  ロック爪（ロック機構）
４０  蓋体
４３  ロック枠（ロック機構）
４４  ヒンジ
５０  第１カバー
５１，５２  ロック枠（ロック機構）
５３  リブ
５４  確認用の窓
５５  第２カバー
５６  ヒンジ
５７  ロック枠（ロック機構）
５８  リブ
５９  確認用の窓
６０  ワイヤハーネス
６１  電線
７０  コルゲートチューブ
７１  凹溝
Ａ  一方の電線導出分岐部の向き
Ｂ  他方の電線導出分岐部の向き
【図１】
2020162242.tif 000003
【図２】
2020162242.tif 000004
【図３】
2020162242.tif 000005
【図４】
2020162242.tif 000006
【図５】
2020162242.tif 000007
【図６】
2020162242.tif 000008
【図７】
2020162242.tif 000009
【図８】
2020162242.tif 000010
【図９】
2020162242.tif 000011
【図１０】
2020162242.tif 000012
【図１１】
2020162242.tif 000013
【図１２】
2020162242.tif 000014
【図１３】
2020162242.tif 000015